(57)【特許請求の範囲】
【請求項１】
物品が収納可能な収納トレイと、前記収納トレイが着脱可能に設置されるキャビネット本体と、を備えたキャビネットであって、
前記キャビネット本体は、前記収納トレイの一部を嵌合させる被嵌合部が設けられ、
前記収納トレイは、
物品が載置可能な底板と、
前記キャビネットに設置された際に前方側に設けられた前板と、
後方側に設けられた背板と、
前記前板、前記底板、前記背板、とで囲むことで収納空間を形成する２枚の側板と、
を備えると共に、
表面からオイルが浮き出る樹脂組成物によって形成され、
前記前板の前面を前記底板の上面より粗く形成することで、前記前板の前面を摘んだ際に発生する摩擦力を大きくしてなり、
さらに、前記背板は、前記被嵌合部に対して上方から差し込むようにして嵌合させる断面Ｌ字状の嵌合部を、前記背板の後方に突出させるようにして設けたことを特徴とするキャビネット。
【請求項２】
前記前板の前面は、シボ加工されていることにより、前記底板の上面より粗く形成されていることを特徴とする請求項１に記載のキャビネット。
【請求項３】
前記樹脂組成物は、ポリプロピレン系樹脂と、シリコーングラフトポリプロピレンと、シリコーンオイルと、を少なくとも含んでなる樹脂組成物であることを特徴とする請求項１又は２に記載のキャビネット。
【請求項４】
前記底板は、
前記収納トレイが前記キャビネット本体に設置された際に、略水平となる水平部と、
前記前板、前記背板、前記２枚の側板、のそれぞれに接続され、前記水平部に向かって下方に傾斜している勾配部と、を有し、
前記前板は、左右方向の略中央が最も前方に突出するように、少なくとも一部が湾曲して形成されていることを特徴とする請求項１〜３のいずれか１項に記載のキャビネット。
【発明の詳細な説明】
【技術分野】
【０００１】
本発明の態様は、一般的に、物品を収納可能な収納トレイ及びそれを備えたキャビネットに関する。
【背景技術】
【０００２】
従来、洗面化粧台に設けられたキャビネット内に設置され、物品が収納可能な収納トレイが知られている（特許文献１）。
【０００３】
このような収納トレイには、口紅や化粧乳液などの物品が収納される場合が多いが、使用者の不注意でこれら物品が収納トレイの内部で倒れ、収納トレイの底面にこれら口紅や化粧乳液が付着してしまうことがある。口紅や化粧乳液が付着したままであると、収納トレイに他の物品を収納した際に、その物品に口紅や化粧乳液が付着してしまうため、使用者は収納トレイに付着したこれら口紅や化粧乳液を確実にふき取る必要がある。しかし、口紅や化粧乳液などは、一度対象物に付着すると簡単に除去できないため、使用者は何度も収納トレイの底面をふき取る必要がある、という問題がある。
【０００４】
この問題を解決するため、出願人は、収納トレイを、ブリードアウト現象等によって表面からシリコーンオイル等のオイルが浮き出る樹脂組成物によって形成することを考え出した。このことにより、収納トレイの表面からはオイルが浮き出るようになるため、収納トレイの撥水性能が向上し、口紅や化粧乳液などが収納トレイの底面に付着してしまっても、ふき取ることで簡単に除去することができる。また、材料を変更しただけであるので、見た目に大きな変更なく、且つ、複雑な構造が必要ないため、収納トレイのデザイン性を損なうことなく、付着した汚れの除去性を向上させることができる。
【０００５】
しかし、このように、収納トレイをオイルが浮き出る樹脂組成物によって形成した際に、収納トレイの清掃のために収納トレイをキャビネットから取り出す際に、表面から浮き出たオイルによって滑って取り出しにくい、という問題が新たに発生した。
【先行技術文献】
【特許文献】
【０００６】
【特許文献１】特開２０１３−８５９１２号公報
【発明の概要】
【発明が解決しようとする課題】
【０００７】
本発明は、かかる課題の認識に基づいてなされたものであり、付着した汚れの除去性が高く、且つ、キャビネットから取り出しやすさも確保した収納トレイを備えたキャビネットを提供することを目的とする。
【課題を解決するための手段】
【０００８】
第１の発明は、物品が収納可能な収納トレイと、前記収納トレイが着脱可能に設置されるキャビネット本体と、を備えたキャビネットであって、前記キャビネット本体は、前記収納トレイの一部を嵌合させる被嵌合部が設けられ、前記収納トレイは、物品が載置可能な底板と、前記キャビネットに設置された際に前方側に設けられた前板と、後方側に設けられた背板と、前記前板、前記底板、前記背板、とで囲むことで収納空間を形成する２枚の側板と、を備えると共に、表面からオイルが浮き出る樹脂組成物によって形成され、前記前板の前面を前記底板の上面より粗く形成することで、前記前板の前面を摘んだ際に発生する摩擦力を大きくしてなり、さらに、前記背板は、前記被嵌合部に対して上方から差し込むようにして嵌合させる断面Ｌ字状の嵌合部を、前記背板の後方に突出させるようにして設けたことを特徴とするキャビネットである。
【０００９】
この収納トレイによれば、収納トレイを表面からオイルが浮き出る樹脂組成物によって形成することによって、撥水性能が向上するため、口紅や化粧乳液などの汚れが収納トレイの底面に付着してしまった際にも、これらの汚れを収納トレイの底面から除去しやすくなり、収納トレイの清掃性を向上させることができる。
また、前板の前面を底板の上面より粗く形成することで、前板の前面を摘んだ際に発生する摩擦力を大きくしたため、収納トレイを表面からオイルが浮き出る樹脂組成物によって形成した場合であっても、収納トレイをキャビネットから取り出しやすくすることができる。
【００１０】
第２の発明は、第１の発明において、前記前板の前面は、シボ加工されていることにより、前記底板の上面より粗く形成されていることを特徴とするキャビネットである。
【００１１】
この収納トレイによれば、前板の前面は、シボ加工されていることによって、底板の上面より粗く形成されているため、極めて簡単な加工方法によって、前板の前面を摘んだ際に発生する摩擦力を大きくすることができ、収納トレイの清掃性を向上させつつ、収納トレイの取り出しやすさを確保できる。
【００１２】
第３の発明は、第１又は第２の発明において、前記樹脂組成物は、ポリプロピレン系樹脂と、シリコーングラフトポリプロピレンと、シリコーンオイルと、を少なくとも含んでなる樹脂組成物であることを特徴とするキャビネットである。
【００１３】
この収納トレイは、このように、オイル浮き出し部材はポリプロピレン系樹脂と、シリコーングラフトポリプロピレンと、シリコーンオイルと、を少なくとも含んでなる樹脂組成物という防汚性が優れた材料であるため、汚れが付着したとしても容易に汚れを除くことができる。
【００１４】
第４の発明は、前記底板は、前記収納トレイが前記キャビネット本体に設置された際に、略水平となる水平部と、前記前板、前記背板、前記２枚の側板、のそれぞれに接続され、前記水平部に向かって下方に傾斜している勾配部と、を有し、前記前板は、左右方向の略中央が最も前方に突出するように、少なくとも一部が湾曲して形成されていることを特徴とする請求項１〜３のいずれか１項に記載のキャビネットである。
【００１５】
収納トレイは表面からオイルが浮き出る樹脂組成物によって形成されているため、表面に付着した汚れの除去性は高いものの、底板に載置された物品が滑りやすいものである。したがって、収納トレイをキャビネット本体から取り出す際に収納トレイが傾いてしまうと、底板に載置された物品がその場で倒れることなく底板上を滑って移動してしまう。底板上を滑って移動した物品は、前板、背板、側板、等に衝突し、背の高い物品であった場合には、その衝突した勢いで収納トレイの外へ落下してしまう恐れがある。この背の高い物品が化粧乳液などであった場合には、収納トレイの外へ乳液がこぼれてしまう可能性がある。即ち、収納トレイの表面をオイルが浮き出る樹脂組成物によって形成して収納トレイの表面の汚れの除去性を高めても、一方で、収納トレイの外へ汚れが付着してしまう可能性が高くなってしまった。
そこで、請求項４の収納トレイにおいては、底板は、収納トレイがキャビネット本体に設置された際に、前板、背板、２枚の側板、のそれぞれに接続され、水平部に向かって下方に傾斜している勾配部と、を有しているため、底板の水平部に載置された物品が、収納トレイが傾いた際に水平部上を滑って移動した場合には、前板、背板、側板、等に衝突する前に勾配部に載り上がることとなる。物品が載り上がっている勾配部は、収納トレイが傾いている際には、水平部より水平に近づいていることになるため、物品の移動を抑制することができ、物品が前板、背板、側板、等に衝突しない、又は、物品が前板、背板、側板、等に衝突する際の勢いを低減させることができる。したがって、この物品が背の高い化粧乳液等であった場合にも、その衝突した勢いで収納トレイの外へ落下してしまう可能性を低減でき、収納トレイの外へ汚れが付着してしまう可能性を低減できる。
さらに、請求項４の収納トレイにおいては、前板は、左右方向の略中央が最も前方に突出するように、少なくとも一部が湾曲して形成されているため、このように勾配部を設けることで水平部の面積を圧迫してしまった場合であっても、底板全体の面積を大きくなるため、水平部の面積の大きさも確保することができる。
【発明の効果】
【００１６】
本発明の態様によれば、付着した汚れの除去性が高く、且つ、キャビネットから取り出しやすさも確保した収納トレイを備えたキャビネットを提供することができる。
【図面の簡単な説明】
【００１７】
【図１】本発明の実施の形態に係るキャビネットを示す模式的斜視図である。
【図２】図１のキャビネットを示す模式的部分断面図である。
【図３】図１のキャビネットに収納された収納トレイを示す模式斜視図である。
【図４】図３の収納トレイを示す模式的上面図である。
【図５】図４の収納トレイを示す模式的Ａ−Ａ断面図である。
【図６】図５の収納トレイに物品が載置された状態を示す模式的断面図である。
【図７】図６の物品が載置された収納トレイが傾いた状態を示す模式図である。
【００１８】
以下、本発明の実施の形態について図面を参照しつつ説明する。なお、各図面中、同様の構成要素には同一の符号を付して詳細な説明は適宜省略する。
また、本発明において、使用者がキャビネット１００に向かって立っている位置が、キャビネット１００に対する「前方」であると定義する。
【００１９】
図１は、本発明の実施の形態に係るキャビネットを示す模式的斜視図である。図２は、図１のキャビネットを示す模式的部分断面図である。図３は、図１のキャビネットに収納された収納トレイを示す模式斜視図である。図４は、図３の収納トレイを示す模式的上面図である。図５は、図４の収納トレイを示す模式的Ａ−Ａ断面図である。
【００２０】
図１、２に示すように、キャビネット１００は、例えば樹脂で形成されたキャビネット本体１と、キャビネット本体１の内部空間に載置された収納トレイ２と、を備えている。このキャビネット１００は、例えば、水を吐出する水栓装置や、その水を受けるボウル部を備えた洗面台の上方に設置される。キャビネット本体１の上方には、発光素子を光源に有する照明装置４が設置されている。この照明装置４は、キャビネット１００の前方に立っている使用者に向かって光を照射する。キャビネット本体１は、ミラー６を有しており、このミラー６を開閉させることによって、キャビネット本体１の内部空間を開放・隠蔽できる。なお、本発明の実施の形態においては、収納トレイ２は、キャビネット本体１の内部空間に収納されるものであるが、本発明はそれに限らず、例えば、キャビネット本体１の前方に設けられた棚に載置される構成などであっても良い。
【００２１】
図３、４に示すように、収納トレイ２は、口紅や化粧乳液などと想定される物品Ａが載置可能な底板８と、キャビネット本体１に設置された際に前方側に設けられた前板１０と、後方側に設けられた背板１２と、前板１０、底板８、背板１２、とで囲むことで収納空間を形成する２枚の側板１４と、を有している。
【００２２】
図２に示すように、収納トレイ２は、例えば、背板１２の背面に嵌合部１２ａを設けており、嵌合部１２ａがキャビネット本体１に設けられた被嵌合部１ａに嵌合されることによって、キャビネット本体１に対して着脱自在に固定される。
【００２３】
この収納トレイ２は、ブリードアウト現象等によって表面からシリコーンオイルが浮き出る樹脂組成物によって形成されている。
【００２４】
本発明による樹脂組成物は、防汚性に優れる。すなわち、その表面に汚れが付着しがたく、また一旦汚れが付着してもその汚れを容易に、例えば水で洗い流すことができる性質を有する。さらに、本発明による樹脂組成物は、その防汚性を長期間にわたり維持することができる。このような優れた防汚性の発現の機序は明らかではないが、本発明による樹脂組成物の表面の水との接触角が高く、つまり撥水性に優れることが理由の一つであると考えられる。さらに、本発明による樹脂組成物により形成された成形体の表面には、シリコーンオイルがわずかずつ浸出して、薄い膜を形成し、この膜が表面の撥水性をさらに向上させ、汚れの付着を有効に防止しているとも考えられる。そして、汚れが付着し難いため、それを栄養源とする雑菌等の繁殖も抑制できる。上記説明は、しかしながらあくまで仮説であって、本発明は上記説明によってなんら限定されるものではない。
【００２５】
後記する実施例および比較例から明らかなように、本発明によるポリプロピレン系樹脂と、シリコーングラフトポリプロピレンと、シリコーンオイルとの組み合わせは、ポリプロピレン系樹脂およびシリコーングラフトポリプロピレンの組み合わせ、さらには、ポリプロピレン系樹脂およびシリコーングラフトポリプロピレンの組み合わせに、従来技術で示唆されている脂肪酸系の滑剤であるエルカ酸アミドを添加した場合と比較して、その防汚性において顕著に優れる。このような顕著な防汚性の改善は、当業者にとり予想外と評価されるべき水準にあると考えられる。
【００２６】
ポリプロピレン系樹脂
本発明による樹脂組成物を構成するポリプロピレン系樹脂は、その成形体の用途を勘案して、その分子量を決定されてよいが、通常は、１万〜１００万の分子量とされ、好ましくは１０万〜５０万程度の分子量である。また分子量の代わりに、分子量と相関のあるメルトフローレート（ＭＦＲ）を用いて決定してもよく、通常はＪＩＳ Ｋ−７２１０に準拠したＭＦＲ（温度２３０℃、荷重２．１６ｋｇｆ）が１．６ｇ／１０ｍｉｎ〜６０ｇ／１０ｍｉｎとされ、好ましくは１０ｇ／１０ｍｉｎ〜５０ｇ／１０ｍｉｎ程度である。本発明の好ましい態様によれば、収納トレイの用途のためには、１０万〜５０万の分子量のものが好ましく、ＭＦＲが１５ｇ／１０ｍｉｎ〜４０ｇ／１０ｍｉｎのものを用いる。
【００２７】
また、本発明にあっては、ポリプロピレン系樹脂は、プロピレン単独重合体のみならず、エチレンとの共重合体等であってもよい。
【００２８】
シリコーングラフトポリプロピレン
本発明による樹脂組成物を構成するシリコーングラフトポリプロピレンは、シリコーンをポリプロピレンにグラフト重合して得られるものである。シリコーンの例としては、ポリジメチルシロキサン、ポリメチルフェニルシロキサン、およびポリジフェニルシロキサンから選択される一種が挙げられる。
【００２９】
シリコーングラフトポリプロピレン中のシリコーン量は、樹脂強度、求められる防汚性の程度などを勘案してその分子量あるいはＭＦＲ（１９０℃、１．２０ｋｇ）より決定されてよいが、通常はＭＦＲが２ｇ／１０ｍｉｎ〜７０ｇ／ｍｉｎのものが一般的であり、好ましくは９ｇ／１０ｍｉｎ〜７０ｇ／ｍｉｎである。
【００３０】
本発明による樹脂組成物におけるシリコーングラフトポリプロピレンの添加量は、樹脂強度、求められる防汚性の程度などを勘案して適宜決定されてよいが、樹脂組成物に対して、０．１〜５．０質量％であり、好ましくは３〜５質量％、より好ましくは３質量％程度である。
【００３１】
シリコーングラフトポリプロピレンは、ポリプロピレン鎖に、例えば分子鎖の両末端をジメチルビニルシロキサン基で封鎖したシリコーン樹脂を結合させることで得ることが出来る。具体的な製造方法等は公知であり、例えば特開平８−１２７６６０号公報の記載に準じて得ることが出来る。
【００３２】
また、シリコーングラフトポリプロピレンは市販されており、これを本発明において用いることも可能である。市販されているシリコーングラフトポリプロピレンの例としては、Ｘ−２２−２１０１（信越化学工業株式会社）、ＢＹ２７−２０１（東レ・ダウコーニング株式会社）などが挙げられる。
【００３３】
シリコーンオイル
本発明において用いられるシリコーンオイルは、一般式Ｒ３ＳｉＯ−（Ｒ２ＳｉＯ）ｎ―ＳｉＲ３（ここで、Ｒは同一または異なっていてもよいアルキル基、好ましくはＣ１−６アルキル基を表す）で表される化合物である。
【００３４】
シリコーンオイルの具体例としては、ジメチルシリコーンオイル、メチルフェニルシリコーンオイル、アルキル変性シリコーンオイル、フルオロシリコーンオイル、ポリエーテル変性シリコーンオイル、および脂肪酸エステル変性シリコーンオイルからなる群から選択される少なくとも一種が挙げられる。またシリコーンオイルの粘性は一般的に０．５ｃＳｔ〜１，０００，０００ｃＳｔのものが存在するが、シリコーンのブリードを考慮して１０〜１，０００ｃＳｔのものが好ましい。
【００３５】
本発明による樹脂組成物におけるシリコーンオイルの添加量は、樹脂強度、求められる防汚性の程度などを勘案して適宜決定されてよいが、ポリプロピレン１００質量部に対して０．０２〜２質量部程度が一般的であり、好ましくは０．１〜１質量部である。
【００３６】
本発明の好ましい態様によれば、本発明による樹脂組成物は樹脂の性質、性状を改良、改善するための成分を含んでなることができる。そのような成分の例としては、難燃剤、難燃助剤、可塑剤、滑剤、安定化剤、酸化防止剤、帯電防止剤、造核剤、紫外線吸収剤、光安定剤、抗菌剤、発泡剤、無機充填剤などが挙げられる。例えば、難燃剤を添加する場合に、材料に求められる難燃性を勘案して、その種類および量は適宜決定されてよいが、本発明の好ましい態様によれば、無機系難燃剤および有機系難燃剤のいずれの利用もでき、有機系難燃剤の場合、融点２００℃以上の難燃剤の利用により良好な難燃性を得ることができ、より好ましくは融点３００℃以上の難燃剤を利用する。好ましい難燃剤との組み合わせにより、本発明による樹脂組成物をＵＬ−９４のＶ−０規格を満足するものとすることができる。本発明において利用可能な有機系難燃剤としては、ハロゲン系難燃剤があるが、特に臭素系難燃剤と三酸化アンチモンなどのアンチモン化合物の併用が代表的に挙げられる。また、本発明において利用可能な有機系難燃剤をその融点とともに挙げれば、芳香族臭素系難燃剤として、デカブロモジフェニルオキサイド（310℃）、ビス(ペンタブロモフェニル)エタン（354℃）、エチレンビス(テトラブロモフタル)イミド（300℃）、トリス(トリブロモフェノキシ)トリアジン（230℃）、ボリブロモフェニルインダン（235〜255℃）、エチレンビスペンタブロモベンゼン（350℃）、デカブロモジフェニルエーテル（307℃）などが挙げられ、また脂肪族臭素系難燃剤の種類として、トリス（トリブロモネオペンチル）ホスフェート（183℃）、ビス[3,5-ジブロモ-4-(2,3-ジブロモプロポキシ)フェニル]スルホン（115℃）、ビス（2,3-ジブロモプロピルエーテル）（95〜115℃）、ビス（ジブロモプロピル）テトラブロモビスフェノールA（108℃）、ビス（ジブロモプロピル）テトラブロモビスフェノールS（100℃）などが挙げられる。
【００３７】
本発明者は、シリコーンオイルが浮き出る樹脂組成物に付着した汚れの除去性について以下のような実験を行った。
【００３８】
ポリプロピレンのみで形成された樹脂組成物を実験対象物Ａとし、ポリプロピレンと、シリコーングラフトポリプロピレンと、シリコーンオイルと、を含んで形成された樹脂組成物を実験対象物Ｂとして、実験対象物Ａ及び実験対象物Ｂに対して、０．１グラム（ｇ）の赤色の口紅を付着させた。なお、実験対象物Ｂには、シリコーンオイルが実験対象物Ｂ全体のの体積の２％の割合を占めている。
【００３９】
口紅が付着した実験対象物Ａ及び実験対象物Ｂのそれぞれの表面に、布を巻いたプレートを載置させ、その上から１キログラム（ｋｇ）の錘を載置させた。
【００４０】
錘が載置されたそれぞれのプレートを、布ごと秒速５センチメートルでスライド移動させた。
【００４１】
その結果、実験対象物Ａの表面には赤色の口紅跡が残っていたのに対し、実験対象物Ｂの表面には赤色の口紅跡が残っていなかった。この実験結果より、ポリプロピレンと、シリコーングラフトポリプロピレンと、シリコーンオイルと、を含んで形成された樹脂組成物は、ポリプロピレンのみで形成された樹脂組成物と比べ、明らかに、付着した汚れの除去性が向上していることがわかる。
【００４２】
以上のことより、収納トレイ２は、ブリードアウト現象によって表面からシリコーンオイルが浮き出るものとなるため、撥水性能が向上し、口紅や化粧乳液などによる汚れが収納トレイ２の底板８、前板１０、背板１２、側板１４に付着してしまった際にも、これらの汚れを除去しやすくなり、収納トレイ２の清掃性を向上させることができる。
【００４３】
図３、４に示すように、前板１０の前面はシボ加工されており、底板８の上面より粗くなるように形成されている。このことにより、収納トレイ２が、表面からシリコーンオイルが浮き出るものとした場合であっても、収納トレイ２をキャビネット本体１から取り出しやすいものとすることができる。
【００４４】
図３〜５に示すように、底板８は、収納トレイ２がキャビネット本体１に設置された際に、略水平となる水平部８ａと、水平部８ａに接続されている勾配部８ｂと、を有している。なお、本発明における「略水平」は、水平方向に対して傾き５度以内の角度である、と定義する。勾配部８ｂは、前板１０、背板１２、側板１４のそれぞれに接続されている。そして、勾配部８ｂは、水平部８ａに向かって下方に傾斜している。
【００４５】
図６は、図５の収納トレイに物品が載置された状態を示す模式的断面図である。図７は、図６の物品が載置された収納トレイが傾いた状態を示す模式図である。
【００４６】
図６、７に示すように、収納トレイ２がキャビネット本体１に設置された状態において、物品Ａは、水平部８ａの上面に載置される。このように水平部８ａの上面に物品Ａが載置された状態において、キャビネット本体１から収納トレイ２を取り出す際などに、収納トレイ２を傾けてしまうと、収納トレイ２は表面からシリコーンオイルが浮き出る樹脂組成物であるため、物品Ａは倒れずに水平部８ａの上面を下方に傾いた方向へ向かって滑ってしまう可能性が高い。しかし、底板８は勾配部８ｂを有しているため、水平部８ａの上面を滑って移動した物品Ａは、前板１０、背板１２、側板１４のいずれかに衝突する前に、勾配部８ｂの上に載り上げることとなる。物品Ａが載り上がる勾配部８ｂは、収納トレイ２が傾いた状態において、収納トレイ２がキャビネット本体１に設置されている状態に比べ、水平に近い状態となる。したがって、勾配部８ｂの上に載り上がった物品Ａも、より水平な状態となるため、前板１０、背板１２、側板１４のいずれかに衝突する際の衝撃を抑えることができる、又は、前板１０、背板１２、側板１４のいずれかに衝突することなく移動を停止させることができる。したがって、物品Ａが背の高い化粧乳液等であった場合にも、収納トレイ２の外へ落下してしまう可能性を低減でき、収納トレイ２の外へ汚れが付着してしまう可能性を低減できる。
【００４７】
本発明の実施の形態においては、勾配部８ｂは、水平部８ａに向かって下方に、滑らかに湾曲するように傾斜している。ただ、本発明はそれに限らず、勾配部８ｂは、水平部８ａに向かって下方に、一定角度で傾斜しているものであっても良い。しかし、水平部８ａに向かって下方に、滑らかに湾曲するように傾斜している方が、勾配部８ｂの上に載り上がった物品が、より水平な状態となる位置に移動可能となるため、好ましい。
【００４８】
図４に示すように、前板１０は、左右方向の略中央が最も前方に突出するように、一部が湾曲して形成されている。このことにより、勾配部８ｂを設けることで水平部８ａの面積を圧迫してしまった場合であっても、底板８全体の面積を大きくなるため、水平部８の面積の大きさも確保することができる。さらに、このような構成とすることで、更に前板１０を掴み易くなり、収納トレイ２が、表面からシリコーンオイルが浮き出るものとした場合であっても、収納トレイ２をキャビネット本体１から取り出しやすいものとすることができる。
【００４９】
また、収納トレイ２がキャビネット本体１に設置された状態において、前板１０の左右方向の端部は、それぞれキャビネット本体１に当接している。このことにより、収納トレイ２がキャビネット本体１に設置された状態において、より収納トレイ２を安定して設置できる。また、水平部８の面積の大きさも確保するために前板１０を前方に突出させた状態であっても、収納トレイ２を左右方向から見た際にも、端部によってキャビネット本体１と前板１０との間の隙間を隠蔽することができるため、見栄えも良いものとなる。
【００５０】
以上、本発明の実施の形態について説明した。しかし、本発明はこれらの記述に限定されるものではない。
【００５１】
本発明のキャビネット１００は、洗面台の上方に設置されるもののみでなく、例えば、トイレルームやキッチン、浴室等に設置されるものも含む。
【００５２】
前述の実施の形態に関して、当業者が適宜設計変更を加えたものも、本発明の特徴を備えている限り、本発明の範囲に包含される。例えば、キャビネット１００などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００５３】
１ キャビネット本体、１ａ被嵌合部、  ２ 収納トレイ、  ４ 照明装置、  ６ ミラー、  ８ 底板、８ａ 水平部、  ８ｂ 勾配部、  １０ 前板、  １２ 背板、１２ａ 嵌合部、  １４ 側板、  １００ キッチンキャビネット、  Ａ 物品
【図１】
0006742595.tif 000002
【図２】
0006742595.tif 000003
【図３】
0006742595.tif 000004
【図４】
0006742595.tif 000005
【図５】
0006742595.tif 000006
【図６】
0006742595.tif 000007
【図７】
0006742595.tif 000008